(57)【特許請求の範囲】
【請求項１】
潜熱回収熱交換器を備えた加熱部において発生したドレンを含有するドレン含有流体を貯留するドレンタンクと、
前記ドレンタンクとドレン排出箇所とを接続するドレン排出管路と、
前記ドレン排出管路を通じて前記ドレンタンク内のドレン含有流体を前記ドレン排出箇所に排出するドレン排出状態と前記ドレンタンク内のドレン含有流体を前記ドレン排出箇所に排出しないドレン非排出状態とに切換えるドレン排出状態切換手段と、
追焚用循環ポンプにより浴槽内の水を前記加熱部との間で強制循環させる追焚用循環路と、
前記追焚用循環ポンプ及び前記ドレン排出状態切換手段の作動を制御する制御手段とが設けられ、
前記制御手段が、前記ドレン排出状態切換手段を前記ドレン排出状態として、前記ドレンタンク内のドレン含有流体を前記ドレン排出箇所に排出するドレン排出処理を実行可能に構成された潜熱回収熱源装置であって、
前記ドレンタンクに前記ドレンとは異なる希釈用流体を供給するための希釈用流体供給路の一端側が接続され、
前記追焚用循環路における前記追焚用循環ポンプよりも下流側に、前記追焚用循環路の上流側と下流側とを接続した追焚用接続状態と、前記追焚用循環路の上流側と前記希釈用流体供給路の他端側とを接続して前記追焚用循環路の上流側を前記ドレンタンクに連通するドレン希釈用接続状態とに切換え自在な流路切換手段が設けられ、
前記制御手段が、前記流路切換手段をドレン希釈用接続状態に切換え、且つ、前記追焚用循環ポンプを駆動させて、前記ドレンタンクに、前記希釈用流体として、前記浴槽内の水を供給する希釈用流体供給処理を実行可能に構成されている潜熱回収熱源装置。
【請求項２】
前記ドレンタンク内に貯留されるドレン含有流体の水位が前記ドレン排出処理の完了時の水位よりも高位である低位側水位であることを検出する低位側水位検出部と、前記低位側水位よりも高位である高位側水位であることを検出する高位側水位検出部とを備えた水位検出手段が設けられ、
前記制御手段が、前記水位検出手段によって前記低位側水位が検出されると前記希釈用流体供給処理を実行する希釈用流体供給タイミングであると判別して、前記水位検出手段によって前記高位側水位が検出されるまで前記希釈用流体供給処理を実行し、その後、前記水位検出手段によって前記高位側水位が検出されると、前記ドレン排出処理を実行するドレン排出タイミングであると判別して前記ドレン排出処理を実行するように構成されている請求項１記載の潜熱回収熱源装置。
【請求項３】
前記ドレンタンク内に貯留されるドレン含有流体の水位が前記ドレン排出処理の完了時の水位よりも高位である低位側水位であることを検出する低位側水位検出部と、前記低位側水位よりも高位である高位側水位であることを検出する高位側水位検出部とを備えた水位検出手段が設けられ、
前記制御手段が、前記ドレン排出処理の完了時を前記希釈用流体供給処理を実行する希釈用流体供給タイミングであると判別して、前記水位検出手段によって前記低位側水位が検出されるまで前記希釈用流体供給処理を実行し、その後、前記水位検出手段によって前記高位側水位が検出されると、前記ドレン排出処理を実行するドレン排出タイミングであると判別して前記ドレン排出処理を実行するように構成されている請求項１記載の潜熱回収熱源装置。
【請求項４】
前記追焚用循環路における前記流路切換手段より上流側に、給水圧により給水源からの湯水を前記追焚用循環路に通流させる給水管路が接続され、且つ、前記追焚用循環路における前記給水管路が接続される箇所である給水管路接続箇所よりも上流側に、前記追焚用循環路における前記給水管路接続箇所よりも上流側の流路を開成する通流状態と閉止する通流停止状態とに切換え自在な通流開閉手段が設けられ、
前記給水管路に、前記給水源からの給水を行う給水状態と、前記給水源からの給水を停止する給水停止状態とに切換え自在な給水切換手段が設けられ、
前記浴槽の水の水位を検出する浴槽水位検出手段が設けられ、
前記制御手段が、前記希釈用流体供給タイミングにおいて、前記浴槽水位検出手段の検出情報に基づいて前記浴槽の水が所定水位以下であると判別したときには、前記流路切換手段をドレン希釈用接続状態に切換え、前記通流開閉手段を前記通流停止状態に切換え、且つ、前記給水切換手段を前記給水状態に切換えて、前記ドレンタンクに、前記希釈用流体として、前記給水源からの給水を前記所定量供給するように構成されている請求項２又は３に記載の潜熱回収熱源装置。
【発明の詳細な説明】
【技術分野】
【０００１】
本発明は、潜熱回収熱交換器を備えた加熱部において発生したドレンを含有するドレン含有流体を貯留するドレンタンクと、前記ドレンタンクとドレン排出箇所とを接続するドレン排出管路と、前記ドレン排出管路を通じて前記ドレンタンク内のドレン含有流体を前記ドレン排出箇所に排出するドレン排出状態と前記ドレンタンク内のドレン含有流体を前記ドレン排出箇所に排出しないドレン非排出状態とに切換えるドレン排出状態切換手段と、追焚用循環ポンプにより浴槽内の水を前記加熱部との間で強制循環させる追焚用循環路と、前記追焚用循環ポンプ及び前記ドレン排出状態切換手段の作動を制御する制御手段とが設けられ、前記制御手段が、前記ドレン排出状態切換手段を前記ドレン排出状態として、前記ドレンタンク内のドレン含有流体を前記ドレン排出箇所に排出するドレン排出処理を実行可能に構成された潜熱回収熱源装置に関する。
【背景技術】
【０００２】
近年、熱源装置の高効率化の需要を受けて、潜熱回収熱交換器を備えた加熱部が設けられた潜熱回収式熱源装置が採用されつつある。この潜熱回収式熱源装置においては、その運転に伴って潜熱回収熱交換器から発生する強酸性のドレンの処理が問題となる。
潜熱回収熱交換器から発生するドレンを処理する方法として、従来、図７に示すように、多孔質の中和剤Ｗを介装した中和槽ＤＣに潜熱回収熱交換器Ｎ１から発生したドレンを導入し、中和槽ＤＣ内にてドレンと中和剤Ｗとを接触させてドレンを中和し、その後、中和処理後のドレンを中和槽ＤＣよりオーバーフローさせて浴室内の排水箇所や雨水枡等のドレン排出箇所に排水するように構成されたものがあった（例えば、特許文献１参照）。
【０００３】
しかしながら、上述したような多孔質の中和剤Ｗは、ドレンとの接触面積を大きくするために微小な気孔を複数備える粒状物にて構成されているため、これらの気孔に対して例えば熱源装置周辺の空気中に含まれていた黄砂等の塵埃が熱源装置排気口部から侵入する等の影響により中和剤Ｗが目詰まりを起こし、ドレンが中和剤Ｗ中を通過しにくくなってドレン排水不良を起こす等の問題があった。
このため、別の従来例として、中和槽を備えない構成を採用して、潜熱回収熱交換器から発生したドレンをドレンタンクに貯留し、そのドレンタンクに上水を供給して、ドレンタンク内のドレンを希釈するように構成されたものが提案されている（例えば、特許文献２参照）。
この特許文献２においては、ドレンタンク内に水位検出手段を設け、ドレン排出処理を行った後にドレンが所定水位まで貯留されると、上水をさらに高位の所定水位まで供給してドレンを希釈し、上水によって希釈された状態であるドレン含有流体をドレン排出箇所に排出する形態と、同様にドレンタンク内に水位検出手段を設け、ドレン排出後にまず上水を所定水位まで供給しておき、その後ドレンが貯留されることによって水位がさらに高位の所定水位に達すると、上水によって希釈された状態であるドレン含有流体をドレン排出箇所に排出する形態とが記載されている。
【先行技術文献】
【特許文献】
【０００４】
【特許文献１】特開２００６−２７２１７３号公報
【特許文献２】特開２００５−２６５２２８号公報
【発明の概要】
【発明が解決しようとする課題】
【０００５】
しかしながら、上記特許文献２の構成では、中和剤が目詰まりを起こすことによってドレン排水不良を起こすという問題は解消できるものの、ドレン排出に伴って上水を消費することになるため、上水利用コストが高くなるという課題があった。本発明は、上記課題に鑑みてなされたものであって、その目的は、潜熱回収熱交換器を備えた加熱部において発生したドレンをドレン排出箇所に排出するにあたり、目詰まりを起こすおそれのある中和剤の使用を回避するものでありながら、上水利用コストの低減を図ることが可能な潜熱回収熱源装置を提供することにある。
【課題を解決するための手段】
【０００６】
上記目的を達成するための本発明に係る潜熱回収熱源装置は、潜熱回収熱交換器を備えた加熱部において発生したドレンを含有するドレン含有流体を貯留するドレンタンクと、前記ドレンタンクとドレン排出箇所とを接続するドレン排出管路と、前記ドレン排出管路を通じて前記ドレンタンク内のドレン含有流体を前記ドレン排出箇所に排出するドレン排出状態と前記ドレンタンク内のドレン含有流体を前記ドレン排出箇所に排出しないドレン非排出状態とに切換えるドレン排出状態切換手段と、追焚用循環ポンプにより浴槽内の水を前記加熱部との間で強制循環させる追焚用循環路と、前記追焚用循環ポンプ及び前記ドレン排出状態切換手段の作動を制御する制御手段とが設けられ、前記制御手段が、前記ドレン排出状態切換手段を前記ドレン排出状態として、前記ドレンタンク内のドレン含有流体を前記ドレン排出箇所に排出するドレン排出処理を実行可能に構成されたものであって、
その第１特徴構成は、前記ドレンタンクに前記ドレンとは異なる希釈用流体を供給するための希釈用流体供給路の一端側が接続され、前記追焚用循環路における前記追焚用循環ポンプよりも下流側に、前記追焚用循環路の上流側と下流側とを接続した追焚用接続状態と、前記追焚用循環路の上流側と前記希釈用流体供給路の他端側とを接続して前記追焚用循環路の上流側を前記ドレンタンクに連通するドレン希釈用接続状態とに切換え自在な流路切換手段が設けられ、前記制御手段が、前記流路切換手段をドレン希釈用接続状態に切換え、且つ、前記追焚用循環ポンプを駆動させて、前記ドレンタンクに、前記希釈用流体として、前記浴槽内の水を供給する希釈用流体供給処理を実行可能に構成されている点にある。
【０００７】
すなわち、追焚用循環路における追焚用循環ポンプよりも下流側に設けられる流路切換手段を、追焚用循環路の上流側と下流側とを接続する追焚用接続状態に切換えることによって追焚用循環路が形成されることとなって、追焚用循環ポンプにより浴槽内の水を追焚用循環路加熱部との間で強制循環させて浴槽内の水の加熱すなわち追焚きが行えるものであり、しかも、流路切換手段を追焚用循環路の上流側と前記希釈用流体供給路の他端側とを接続するドレン希釈用接続状態に切換え且つ追焚用循環ポンプを駆動させることによって、ドレンタンクに希釈用流体として浴槽内の水を供給する希釈用流体供給処理を実行することができる。そのため、浴槽内に例えば残水がある場合において、希釈用流体として、上水ではなく浴槽内の水を有効に利用してドレンタンク内に貯留されるドレンを希釈することができる。
したがって、潜熱回収熱交換器を備えた加熱部において発生したドレンをドレン排出箇所に排出するにあたり、目詰まりを起こすおそれのある中和剤の使用を回避するものでありながら、上水利用コストの低減を図ることが可能な潜熱回収熱源装置を提供することができる。
【０００８】
本発明に係る潜熱回収熱源装置の第２特徴構成は、上記第１特徴構成に加えて、前記ドレンタンク内に貯留されるドレン含有流体の水位が前記ドレン排出処理の完了時の水位よりも高位である低位側水位であることを検出する低位側水位検出部と、前記低位側水位よりも高位である高位側水位であることを検出する高位側水位検出部とを備えた水位検出手段が設けられ、前記制御手段が、前記水位検出手段によって前記低位側水位が検出されると前記希釈用流体供給処理を実行する希釈用流体供給タイミングであると判別して、前記水位検出手段によって前記高位側水位が検出されるまで前記希釈用流体供給処理を実行し、その後、前記水位検出手段によって前記高位側水位が検出されると、前記ドレン排出処理を実行するドレン排出タイミングであると判別して前記ドレン排出処理を実行するように構成されている点にある。
【０００９】
すなわち、制御手段は、水位検出手段によって、ドレンタンク内に貯留されるドレン含有流体の水位がドレン排出処理の完了時の水位よりも高位である低位側水位であることが検出されると、希釈用流体供給タイミングであると判別して、希釈用流体供給処理として、水位検出手段によって高位側水位が検出されるまでドレンタンク内に浴槽内の水を供給する希釈用流体供給処理を実行し、その後、水位検出手段によって低位側水位よりも高位である高位側水位が検出されると、ドレン排出タイミングであると判別して、ドレン排出処理を実行することになる。
【００１０】
つまり、ドレン排出処理の完了時の水位からそのドレン排出処理の完了時の水位よりも高位である低位側水位となるまでドレンを貯留し、貯留されたドレンが低位側水位となると、希釈用流体を、その低位側水位よりも高位である高位側水位となるまで供給することによって、ドレンタンク内に貯留されたドレンを希釈し、そのように希釈されたドレン含有流体をドレン排出箇所に排出することになる。
【００１１】
ここで、ドレン排出処理の完了時の水位、低位側水位、高位側水位を適切に設定することにより、ドレン排出時の希釈状態を適切に設定できる。この例の場合は、希釈用流体は、（高位側水位−低位側水位）に対応する水量であり、（低位側水位−ドレン排出処理の完了時の水位）の量のドレンが希釈される。
このように、第２特徴構成によれば、上記第１特徴構成の好適な実施形態を提供することができる。
【００１２】
本発明に係る潜熱回収熱源装置の第３特徴構成は、上記第１特徴構成に加えて、前記ドレンタンク内に貯留されるドレン含有流体の水位が前記ドレン排出処理の完了時の水位よりも高位である低位側水位であることを検出する低位側水位検出部と、前記低位側水位よりも高位である高位側水位であることを検出する高位側水位検出部とを備えた水位検出手段が設けられ、前記制御手段が、前記ドレン排出処理の完了時を前記希釈用流体供給処理を実行する希釈用流体供給タイミングであると判別して、前記水位検出手段によって前記低位側水位が検出されるまで前記希釈用流体供給処理を実行し、その後、前記水位検出手段によって前記高位側水位が検出されると、前記ドレン排出処理を実行するドレン排出タイミングであると判別して前記ドレン排出処理を実行するように構成されている点にある。
【００１３】
すなわち、制御手段は、ドレン排出処理の完了時を希釈用流体供給タイミングであると判別して、希釈用流体供給処理として、水位検出手段によって低位側水位が検出されるまでドレンタンク内に浴槽内の水を供給する希釈用流体供給処理を実行し、その後、水位検出手段によって低位側水位よりも高位である高位側水位が検出されるとドレン排出タイミングであると判別して、ドレン排出処理を実行することになる。
【００１４】
つまり、ドレン排出処理の完了時の水位からそのドレン排出処理の完了時の水位よりも高位である低位側水位となるまで希釈用流体としての浴槽内の水を貯留し、その後ドレンが貯留されることになるから、ドレンは浴槽内の水にて希釈されながら貯留されることになる。そして、ドレンの貯留に伴って、水位検出手段にて検出される水位が低位側水位よりも高位である高位側水位となると、希釈されたドレン含有流体をドレン排出箇所に排出することになる。
【００１５】
ここで、ドレン排出処理の完了時の水位、低位側水位、高位側水位を適切に設定することにより、ドレン排出時の希釈状態を適切に設定できる。この例の場合は、希釈用流体は、（低位側水位−ドレン排出処理の完了時の水位）に対応する水量であり、（高位側水位−低位側水位）の量のドレンが希釈される。
このように、第３特徴構成によれば、上記第１特徴構成の好適な実施形態を提供することができる。
【００１６】
本発明に係る潜熱回収熱源装置の第４特徴構成は、上記第２又は第３特徴構成のいずれかに加えて、前記追焚用循環路における前記流路切換手段より上流側に、給水圧により給水源からの湯水を前記追焚用循環路に通流させる給水管路が接続され、且つ、前記追焚用循環路における前記給水管路が接続される箇所よりも上流側に、前記追焚用循環路における給水管路接続箇所よりも上流側の流路を開成する通流状態と閉止する通流停止状態とに切換え自在な通流開閉手段が設けられ、前記給水管路に、前記給水源からの給水を行う給水状態と、前記給水源からの給水を停止する給水停止状態とに切換え自在な給水切換手段が設けられ、前記浴槽の水位を検出する浴槽水位検出手段が設けられ、前記制御手段が、前記希釈用流体供給タイミングにおいて、前記浴槽水位検出手段の検出情報に基づいて前記浴槽の水が前記所定水位以下であると判別したときには、前記流路切換手段をドレン希釈用接続状態に切換え、前記通流開閉手段を前記通流停止状態に切換え、且つ、前記給水切換手段を前記給水状態に切換えて、前記ドレンタンクに、前記希釈用流体として、前記給水源からの給水を前記所定量供給するように構成されている点にある。
【００１７】
すなわち、希釈用流体供給タイミングにおいて、浴槽水位検出手段によって浴槽の水が所定水位以下であると判別されると、流路切換手段を追焚用循環路の上流側と希釈用流体供給路の他端側とを接続するドレン希釈用接続状態に切換え、通流開閉手段を通流停止状態に切換え、且つ、給水切換手段を給水状態に切換えて、ドレンタンクに、希釈用流体として、給水源からの給水を前記所定量供給することになる。
したがって、浴槽の水が希釈用流体供給処理を実行するのに不足する場合には、希釈用流体として給水源からの給水をドレンタンクに供給することができるものとなるから、浴槽内に例えば残水があるときにはその残水を有効利用できるものでありながらも、浴槽内に水が無いときにおいても適切に希釈用流体供給処理を実行することができる。
【図面の簡単な説明】
【００１８】
【図１】本発明の潜熱回収熱源装置を適用した追焚給湯装置の全体構成図
【図２】追焚運転時の流路を示す図
【図３】希釈用流体として浴槽の水を供給する場合の流路を示す図
【図４】希釈用流体として給水源からの給水を供給する場合の流路を示す図
【図５】第１実施形態における水位検出手段の構成を示す図
【図６】第２実施形態における水位検出手段の構成を示す図
【図７】従来の潜熱回収熱源装置を適用した追焚給湯装置の全体構成図
【発明を実施するための形態】
【００１９】
〔第１実施形態〕
以下、本発明に係る潜熱回収熱源装置を備えた追焚給湯装置の第１実施形態について、図面に基づいて説明する。
図１に示すように、この追焚給湯装置は、浴室Ｙに備えられる浴槽Ｙ１と潜熱回収熱源装置本体１に備えられる加熱部Ｎとの間を、浴槽往路Ｃ１と浴槽戻路Ｃ２とから構成され且つ追焚用循環ポンプＰにより浴槽Ｙ１内の水を加熱部Ｎとの間で強制循環させるように構成される追焚用循環路Ｃにて接続して、浴槽Ｙ１内の水を加熱部Ｎにて加熱して浴槽Ｙ１に供給する追焚運転を実行可能に構成される。また、追焚用循環路Ｃにおける加熱部Ｎよりも上流側に接続される給水管路Ｃ３から供給される給水を加熱部Ｎにて加熱して浴槽Ｙ１に供給する湯張り運転を実行可能に構成されている。
【００２０】
潜熱回収熱源装置本体１は、潜熱回収熱交換器Ｎ１と顕熱回収熱交換器Ｎ２とからなる加熱部Ｎと、加熱部Ｎの下方に設けられて、供給される燃料ガスを燃焼させるバーナＢとを備えている。そして、追焚用循環路Ｃにおける加熱部Ｎよりも上流側に、浴槽Ｙ１内の水を浴槽Ｙ１と加熱部Ｎとの間で循環させる追焚用循環ポンプＰが設けられている。追焚用循環路Ｃは、その上流側から潜熱回収熱交換器Ｎ１、顕熱回収熱交換器Ｎ２の順に通過する状態で設けられている。したがって、追焚用循環路Ｃを通流する浴槽Ｙ１内の水又は給水管路Ｃ３から供給される給水（以降、加熱対象流体という）は、まず潜熱回収熱交換器Ｎ１にて加熱され、その後、顕熱回収熱交換器Ｎ２にて加熱されることになる。
【００２１】
潜熱回収熱交換器Ｎ１の下方には、潜熱回収熱交換器Ｎ１において発生した強酸性のドレンを受ける漏斗状のドレン受けＴが設けられている。また、ドレン受けＴの下方には、加熱部Ｎにおいて発生したドレンを含有するドレン含有流体を貯留するドレンタンクＤＴが設けられている。そして、ドレン受けＴの漏斗状部の最下方部とドレンタンクＤＴの上部とに亘って、それらを接続するドレン導入管路Ｄ１が設けられている。
【００２２】
ドレンタンクＤＴの内部には、図５に示すように、水位検出手段としてのタンク内水位センサＳ１が設けられている。このタンク内水位センサＳ１は、ドレン排出処理実行後の排出時水位ＬＥを検出する電極Ｓ１Ｅ、排出時水位ＬＥよりも高位である低位側水位ＬＤを検出する低位側水位検出部としての電極Ｓ１Ｄ、及び、低位側水位ＬＤよりも高位である高位側水位ＬＷを検出する高位側水位検出部としての電極Ｓ１Ｗより構成されている。
【００２３】
ドレンタンクＤＴの下部には、ドレンタンクＤＴとドレン排出箇所とを接続するドレン排出管路Ｄ３が接続され、且つ、そのドレン排出管路Ｄ３に、ドレン排出管路Ｄ３を通じてドレンタンクＤＴ内のドレンをドレン排出箇所に排出するドレン排出状態とドレンタンクＤＴ内のドレンをドレン排出箇所に排出しないドレン非排出状態とに切換えるドレン排出状態切換手段としてのドレン排出弁Ｋ３が設けられている。また、ドレンタンクＤＴの上部には、ドレン導入管路Ｄ１に加えて、ドレンタンクＤＴ内に希釈用流体を供給するための希釈用流体供給路Ｄ２の一端側が接続されている。
【００２４】
図１に示すように、追焚用循環路Ｃにおける追焚用循環ポンプＰよりも下流側には、追焚用循環路Ｃの上流側と下流側とを接続して追焚用循環路Ｃを形成する追焚用接続状態と、追焚用循環路Ｃの上流側と希釈用流体供給路Ｄ２の他端側とを接続して追焚用循環路Ｃの上流側をドレンタンクＤＴに連通するドレン希釈用接続状態とに切換え自在な流路切換手段としての三方弁Ｋ１が設けられている。
追焚用循環路Ｃにおける三方弁Ｋ１よりも上流側には、給水圧により給水源からの湯水を供給する給水管路Ｃ３が接続され、この給水管路Ｃ３には、給水源からの給水を行う給水状態と、給水源からの給水を停止する給水停止状態とに切換え自在な給水切換手段としての給水切換弁Ｋ２が設けられている。なお、この実施形態においては、追焚用循環路Ｃにおける三方弁Ｋ１の上流側の追焚用循環ポンプＰよりもさらに上流側に給水管路Ｃ３を接続しており、給水源からの湯水を追焚用循環ポンプＰにより給水管路Ｃ３から吸引して追焚用循環路Ｃに送り出すように構成してもよい。
さらに、追焚用循環路Ｃにおける給水管路Ｃ３が接続されている箇所である給水管路接続箇所ＣＴよりも上流側には、追焚用循環路Ｃにおける給水管路接続箇所ＣＴよりも上流側の流路を開成する通流状態と閉止する通流停止状態とに切換え自在な通流開閉手段としての通流切換弁Ｋ４が設けられている。
【００２５】
また、追焚用循環路Ｃには、水圧を検出する等公知の方法によって浴槽Ｙ１内に貯留されている湯水の水位を検出する浴槽水位検出手段としての浴槽水位センサＳ２が設けられている。
【００２６】
この追焚給湯装置の運転状態を制御する制御手段Ｈは、潜熱回収熱源装置本体１に装備され、マイクロコンピュータを備えたプログラム制御方式のコントローラで構成されている。制御手段Ｈは、浴室Ｙ等に設けられるリモコンＲとの間で通信可能に構成されている。また、制御手段Ｈは、タンク内水位センサＳ１と通信可能に接続されて、ドレンタンクＤＴ内に貯留されるドレン含有流体の水位を検出するように構成されるとともに、浴槽水位センサＳ２と接続されて、浴槽Ｙ１内の水位を検出するように構成されている。さらに、制御手段Ｈは、三方弁Ｋ１、給水切換弁Ｋ２、ドレン排出弁Ｋ３、通流切換弁Ｋ４、及び、追焚用循環ポンプＰとも通信可能に接続されて、それらの作動を制御するように構成されている。
【００２７】
次に、追焚給湯装置の使用態様について説明する。
この追焚給湯装置は、上述した如く、追焚運転と湯張り運転とを実行可能に構成されている。リモコンＲから追焚運転の実行が指令された場合の制御及び流路構成を図２にもとづいて説明する。
【００２８】
図２においては、三方弁Ｋ１、給水切換弁Ｋ２、ドレン排出弁Ｋ３、通流切換弁Ｋ４において流路が形成されている部分を白抜で、また、流路が閉止されている部分を黒塗りで示し、流体が通流している管路に網掛けを付し、その通流方向を矢印で示している。
すなわち、制御手段Ｈは、リモコンＲから追焚運転の実行が指令されると、三方弁Ｋ１を追焚用循環路Ｃの上流側と下流側とを接続する追焚用接続状態とし、給水切換弁Ｋ２を給水停止状態とし、通流切換弁Ｋ４を通流状態として、追焚用循環ポンプＰを駆動し、且つ、バーナＢに燃料ガスを供給して燃焼させることによって、追焚用循環路Ｃを通流する浴槽Ｙ１内の水を加熱する追焚運転を実行する。
【００２９】
また、図示はしないが、制御手段Ｈは、リモコンＲから湯張り運転の実行が指令されると、三方弁Ｋ１を追焚用循環路Ｃの上流側と下流側とを接続する追焚用接続状態とし、給水切換弁Ｋ２を給水状態とし、且つ、バーナＢに燃料ガスを供給して燃焼させることによって、追焚用循環路Ｃを通流する給水源からの給水を加熱する湯張り運転を実行する。
【００３０】
そして、このように追焚運転又は湯張り運転を実行する際において、潜熱回収熱源装置本体１では、低温である加熱対象流体との熱交換によってドレンが発生することになり、そのドレンがドレンタンクＤＴに導入されることになる。
【００３１】
制御手段Ｈは、タンク内水位センサＳ１によって低位側水位ＬＤが検出されると、希釈用流体供給処理を実行する希釈用流体供給タイミングであると判別する。そして、その希釈用流体供給タイミングにおいて、浴槽水位センサＳ２の検出情報に基づいて浴槽Ｙ１内の水が所定量（ドレンタンクＤＴにおける高位側水位ＬＷと低位側水位ＬＤとの間に相当する容積）以上であると判別したときにはタンク内水位センサＳ１によって高位側水位ＬＷが検出されるまで、図３に示すように、三方弁Ｋ１をドレン希釈用接続状態に切換え、通流切換弁Ｋ４を通流状態に、且つ、追焚用循環ポンプＰを駆動させて、ドレンタンクＤＴに、希釈用流体として、浴槽内の水を供給する希釈用流体供給処理を実行する。
【００３２】
また、制御手段Ｈは、希釈用流体供給タイミングにおいて、浴槽水位センサＳ２の検出情報に基づいて浴槽Ｙ１内の水が所定量以下であると判別したときには、図４に示すように、三方弁Ｋ１をドレン希釈用接続状態に切換え、通流切換弁Ｋ４を通流停止状態に切換え、且つ、給水切換弁Ｋ２を給水状態に切換えて、ドレンタンクＤＴに、希釈用流体として、給水源からの給水を所定量供給する。
【００３３】
その後、制御手段Ｈは、タンク内水位センサＳ１によって、高位側水位ＬＷが検出されると、ドレン排出処理を実行するドレン排出タイミングであると判別して、ドレン排出弁Ｋ３をドレン排出状態としてドレンタンクＤＴ内のドレン含有流体をドレン排出箇所に排出するドレン排出処理を実行する。
【００３４】
〔第２実施形態〕
次に、本発明に係る潜熱回収熱源装置を備えた追焚給湯装置の第２実施形態について説明するが、この第２実施形態は、ドレンタンクＤＴ内の水位の検出方法と、希釈用流体供給タイミングが第１実施形態と異なるものであって、共通する部分については説明を省略して、相違する部分のみを説明する。
【００３５】
第２実施形態におけるタンク内水位センサＳ１は、図６に示すように、ドレンタンクＤＴ内に貯留されるドレン含有流体の水位がドレン排出処理実行後の完了時の水位である排出時水位ＬＥであることを検出する電極Ｓ１Ｅ、排出時水位ＬＥよりも高位である低位側水位ＬＷを検出する低位側水位検出部としての電極Ｓ１Ｗ、及び、低位側水位ＬＷよりも高位である高位側水位ＬＤを検出する高位側水位検出部としての電極Ｓ１Ｄより構成されている。
【００３６】
制御手段Ｈは、ドレン排出処理の完了時を希釈用流体供給処理を実行する希釈用流体供給タイミングであると判別する。そして、その希釈用流体供給タイミングにおいて、浴槽水位センサＳ２の検出情報に基づいて浴槽Ｙ１内の水が所定量（ドレンタンクＤＴにおける低位側水位ＬＷと排出時水位ＬＥとの間に相当する容積）以上であると判別したときには、図３に示すように、タンク内水位センサＳ１によって低位側水位ＬＷが検出されるまで、三方弁Ｋ１をドレン希釈用接続状態に切換え、通流切換弁Ｋ４を通流状態に、且つ、追焚用循環ポンプＰを駆動させて、ドレンタンクＤＴに、希釈用流体として、浴槽内の水を供給する希釈用流体供給処理を実行する。
【００３７】
また、制御手段Ｈは、希釈用流体供給タイミングにおいて、浴槽水位センサＳ２の検出情報に基づいて浴槽Ｙ１内の水が所定量以下であると判別したときには、図４に示すように、タンク内水位センサＳ１によって低位側水位ＬＷが検出されるまで、三方弁Ｋ１をドレン希釈用接続状態に切換え、通流切換弁Ｋ４を通流停止状態に切換え、且つ、給水切換弁Ｋ２を給水状態に切換えて、ドレンタンクＤＴに、希釈用流体として、給水源からの給水を供給する。
【００３８】
その後、ドレンタンクＤＴ内にはドレンが貯留されることになる。制御手段Ｈは、ドレンがドレンタンクＤＴ内に貯留されるに伴って、タンク内水位センサＳ１によって、高位側水位ＬＤが検出されると、ドレン排出処理を実行するドレン排出タイミングであると判別して、ドレン排出弁Ｋ３をドレン排出状態としてドレンタンクＤＴ内のドレン含有流体をドレン排出箇所に排出するドレン排出処理を実行する。
【００３９】
上述のように、ドレン排出処理の完了時の水位、低位側水位、高位側水位を適切に設定することにより、ドレン排出時の希釈状態を適切に設定できる。
すなわち、第１実施形態における希釈用流体の水量、つまり（高位側水位−低位側水位）に対応する水量は、（低位側水位−ドレン排出処理の完了時の水位）に対応する量のドレンを適切に希釈できる量であり、第２実施形態における希釈用流体の水量、つまり（低位側水位−ドレン排出処理の完了時の水位）に対応する水量は、（高位側水位−低位側水位）に対応する量のドレンを適切に希釈できる量である。
したがって、本発明によれば、ドレンタンク内に貯留されるドレンを適切に希釈することができる。
【００４０】
〔別実施形態〕
次に本発明の別実施形態を説明する。
（イ）上記第１及び第２実施形態においては、追焚用循環路Ｃにおける三方弁Ｋ１の上流側に給水管路Ｃ３を接続し、追焚用循環路Ｃにおける給水管路接続箇所ＣＴよりも下流側は追焚運転と湯張り運転とに共用する構成としたが、このような構成に限定されるものではなく、追焚用循環路Ｃと湯張り運転用の湯張り回路を夫々独立に設ける構成としてもよい。
【００４１】
（ロ）上記第１及び第２実施形態においては、ドレン排出処理の完了時の水位を、排出時水位ＬＥを検出する電極Ｓ１Ｅによって検出するように構成したが、このような構成に代えて、例えば、ドレンを排出するに十分な時間として設定されたドレン排出用設定時間の間ドレン排出弁Ｋ３をドレン排出状態とし、ドレン排出用設定時間経過が経過した時点をもってドレン排出処理の完了時の水位となったと看做すように構成してもよい。
【００４２】
（ハ）上記第１及び第２実施形態においては、水位検出手段Ｓ１をドレン排出処理実行後の排出時水位ＬＥを検出する電極Ｓ１Ｅ、排出時水位ＬＥよりも高位である低位側水位ＬＤを検出する電極Ｓ１Ｄ、及び、低位側水位ＬＤよりも高位である高位側水位ＬＷを検出する電極Ｓ１Ｗより構成したが、このような構成に限定されるものではなく、例えば、ドレンタンクＤＴ内に、ドレン含有流体の水位に応じて上下するフロートを設け、そのフロートに備える検出部の位置を検出するフォトインタラプタや磁気検出センサ等の位置検出手段を排出時水位ＬＥ、低位側水位ＬＤ、及び、高位側水位ＬＷに対応して設けて、その位置検出手段によって水位を検出する等、各種の水位検出方法が適用可能である。
【００４３】
（ニ）上記第１及び第２実施形態においては、ドレン排出状態切換手段をドレン排出弁Ｋ３にて構成したが、このような構成に代えて、ドレン排出状態切換手段をドレン排出ポンプにて構成してもよい。
【００４４】
（ホ）上記第１及び第２実施形態においては、制御手段Ｈが、希釈用流体供給タイミングであると判別したときに希釈用流体供給処理を実行するように構成したが、このような構成に限定されるものではなく、利用者が入浴中であると考えられる場合（例えば、追焚運転が実行されてから所定時間（例えば１時間）以内の時間帯や、入浴時刻として利用者に設定された時間帯等）には希釈用流体供給処理を行わない構成としても良い。このときには、利用者が入浴中であると考えられる場合が解消すると同時に希釈用流体供給処理を開始するように構成してもよいし、その解消から所定時間（例えば３０分等）を経過したときに希釈用流体供給処理を開始するように構成してもよい。また、希釈用流体供給タイミングであると判別したときに利用者が入浴中であると考えられる場合においては、希釈用流体として給水源からの給水を供給するように構成することも可能である。
【００４５】
（へ）上記第１及び第２実施形態においては、浴槽水位センサＳ２の検出情報に基づいて浴槽Ｙ１内の水が所定水位以上であるか否か、つまり、浴槽Ｙ１内に残水があるか否かを判別する構成について説明したが、このような構成に限定されるものではなく、例えば、浴槽水位センサＳ２を設けない構成とし、追焚用循環ポンプＰを駆動させて、追焚用循環路Ｃに設けられる水流スイッチのＯＮ／ＯＦＦによって残水の有無を検知するように構成してもよい。
【産業上の利用可能性】
【００４６】
本発明によれば、潜熱回収熱交換器を備えた加熱部において発生したドレンをドレン排出箇所に排出するにあたり、目詰まりを起こし易い中和剤の使用を回避するものでありながら、上水利用コストの低減を図ることが可能な潜熱回収熱源装置を提供することができる。
【符号の説明】
【００４７】
１      潜熱回収熱源装置本体
Ｎ      加熱部
Ｎ１    潜熱回収熱交換器
Ｎ２    顕熱回収熱交換器
Ｂ      バーナ
Ｃ      追焚用循環路
Ｃ１    浴槽往路
Ｃ２    浴槽戻路
Ｃ３    給水管路
Ｔ      ドレン受け
ＤＴ    ドレンタンク
Ｄ１    ドレン導入管路
Ｄ２    希釈用流体供給路
Ｄ３    ドレン排出管路
Ｋ１    流路切換手段
Ｋ２    給水切換手段
Ｋ３    ドレン排出状態切換手段
Ｋ４    通流切換弁
Ｐ      追焚用循環ポンプ
Ｓ１    水位検出手段
Ｓ２    浴槽水位センサ
Ｒ      リモコン
Ｙ      浴室
Ｙ１    浴槽
Ｈ      制御手段
【図１】
0005662224.tif 000002
【図２】
0005662224.tif 000003
【図３】
0005662224.tif 000004
【図４】
0005662224.tif 000005
【図５】
0005662224.tif 000006
【図６】
0005662224.tif 000007
【図７】
0005662224.tif 000008